(57)【要約】【課題】移動局におけるバッテリセービングの観点で適切なＤＲＸ制御を行う。【解決手段】本発明に係る無線基地局ｅＮＢは、移動局ＵＥについての「ＴＩＴ」及び「ＴＩＴ  ｓｔｏｐ  Ｔｉｍｅｒ」を管理するように構成されているタイマ管理部１１と、「ＴＩＴ」が起動している間、所定周期で、ｎｏｎ-ＤＲＸ状態の移動局ＵＥに対して、「Ｐｅｒｉｏｄｉｃ  ＴＡ」を送信するように構成されている送信部１２とを具備しており、タイマ管理部１１は、ｎｏｎ-ＤＲＸ状態の移動局ＵＥに関して送受信すべきデータを検出した時点で「ＴＩＴ」を起動又は再起動するように構成されており、ＤＲＸ状態の移動局ＵＥに係るＳＲＢデータが発生した場合に、「ＴＩＴ  ｓｔｏｐ  Ｔｉｍｅｒ」を起動又は再起動するように構成されており、「ＴＩＴ  ｓｔｏｐ  Ｔｉｍｅｒ」が満了した際に、「ＴＩＴ」を停止するように構成されている。【選択図】図３
2014216906.tif 000002
【特許請求の範囲】
【請求項１】
無線基地局であって、
移動局についての第１タイマ及び第２タイマを管理するように構成されているタイマ管理部と、
前記第１タイマが起動している間、所定周期で、非間欠受信状態の前記移動局に対して、タイミング調整コマンドを送信するように構成されている送信部とを具備しており、
前記タイマ管理部は、非間欠受信状態の前記移動局に関して送受信すべきデータを検出した時点で、前記第１タイマを起動又は再起動するように構成されており、
前記タイマ管理部は、間欠受信状態の前記移動局に係る制御データが発生した場合に、前記第２タイマを起動又は再起動するように構成されており、
前記タイマ管理部は、前記第２タイマが満了した際に、前記第１タイマを停止するように構成されていることを特徴とする無線基地局。
【請求項２】
前記送信部は、前記第２タイマが満了した際に、前記移動局に対して、間欠受信状態に遷移するように指示する指示情報を送信するように構成されていることを特徴とする請求項１に記載の無線基地局。
【請求項３】
前記送信部は、最後の制御信号に多重して前記指示情報を送信するように構成されていることを特徴とする請求項２に記載の無線基地局。
【請求項４】
前記タイマ管理部は、前記第２タイマが起動している間に、非間欠受信状態の前記移動局に関して送信されるべきユーザデータが発生した場合に、該第２タイマを停止し、前記第１タイマを再起動するように構成されていることを特徴とする請求項１乃至３のいずれか一項に記載の無線基地局。
【請求項５】
無線基地局が、移動局についての第１タイマが起動している間、所定周期で、非間欠受信状態の該移動局に対して、タイミング調整コマンドを送信する工程と、
前記無線基地局が、非間欠受信状態の前記移動局に関して送受信すべきデータを検出した時点で、前記第１タイマを起動又は再起動する工程と、
前記無線基地局が、間欠受信状態の前記移動局に係る制御データが発生した場合に、第２タイマを起動又は再起動する工程と、
前記無線基地局が、前記第２タイマが満了した際に、前記第１タイマを停止する工程と、
非間欠受信状態の前記移動局が、最後にデータを受信してから所定期間データを受信しない場合に、間欠受信状態に遷移する工程とを有することを特徴とする移動通信方法。
【請求項６】
前記無線基地局が、前記第２タイマが満了した際に、前記移動局に対して、間欠受信状態に遷移するように指示する指示情報を送信する工程と、
非間欠受信状態の前記移動局が、前記指示情報に応じて、間欠受信状態に遷移する工程とを有することを特徴とする請求項５に記載の移動通信方法。
【請求項７】
無線基地局であって、
移動局についての第１タイマ及び第２タイマを管理するように構成されているタイマ管理部と、
前記第１タイマの値が、所定閾値より小さい場合に、所定周期で、タイミング調整コマンドを送信し、該第１タイマの値が、所定閾値を超える場合に、該タイミング調整コマンドの送信を停止するように構成されている送信部とを具備しており、
前記第１タイマの値は、時間の経過と共に増加していくように構成されており、
前記タイマ管理部は、非間欠受信状態の前記移動局に関して送受信すべきデータを検出した時点で前記第１タイマを停止し、非間欠受信状態の該移動局に関して送受信すべきデータがない場合に該第１タイマを起動するように構成されており、
前記タイマ管理部は、間欠受信状態の前記移動局に係る制御データが発生した場合に、前記第２タイマを起動又は再起動するように構成されており、
前記タイマ管理部は、前記第２タイマが満了した際に、前記第１タイマを所定閾値よりも大きい値に設定するように構成されていることを特徴とする無線基地局。
【発明の詳細な説明】
【技術分野】
【０００１】
本発明は、無線基地局及び移動通信方法に関する。
【背景技術】
【０００２】
ＬＴＥ（Ｌｏｎｇ  Ｔｅｒｍ  Ｅｖｏｌｕｔｉｏｎ）方式では、移動局ＵＥのバッテリセービングを目的として「ＤＲＸ（Ｄｉｓｃｏｎｔｉｎｕｏｕｓ  Ｒｅｃｅｐｔｉｏｎ）制御」を採用している。
【０００３】
ＤＲＸ制御では、ＲＲＣ_Ｃｏｎｎｅｃｔｅｄ状態の移動局ＵＥを「Ａｃｔｉｖｅ状態」及び「Ｉｎａｃｔｉｖｅ状態」の２つの状態にて管理するように構成されている。
【０００４】
ここで、「Ａｃｔｉｖｅ状態」の移動局ＵＥは、ＰＤＣＣＨ（Ｐｈｙｓｉｃａｌ  Ｄｏｗｎｌｉｎｋ  Ｃｏｎｔｒｏｌ  Ｃｈａｎｎｅｌ）を監視し、無線基地局ｅＮＢに対して、フィードバック情報（ＣＱＩ/ＰＭＩ/ＲＩ/ＰＴＩ等）を報告するように構成されている。
【０００５】
一方、「Ｉｎａｃｔｉｖｅ状態」の移動局ＵＥは、バッテリセービングのために、ＰＤＣＣＨを監視せず、無線基地局ｅＮＢに対して、フィードバック情報（ＣＱＩ/ＰＭＩ/ＲＩ/ＰＴＩ等）を報告しないように構成されている。
【０００６】
ここで、移動局ＵＥは、以下の条件が満たされる場合に、「Ａｃｔｉｖｅ状態」となり、それ以外の場合に、「Ｉｎａｃｔｉｖｅ状態」となるように構成されている。
【０００７】
-  「Ｏｎ  ｄｕｒａｔｉｏｎ  Ｔｉｍｅｒ」、「ｄｒｘ-Ｉｎａｃｔｉｖｉｔｙ  Ｔｉｍｅｒ」、「ｄｒｘ-Ｒｅｔｒａｎｓｍｉｓｓｉｏｎ  Ｔｉｍｅｒ」及び「ｍａｃ-ｃｏｎｔｅｎｓｉｏｎ  Ｒｅｓｏｌｕｔｉｏｎ  Ｔｉｍｅｒ」の何れかが起動している場合
-  「Ｓｃｈｅｄｕｌｉｎｇ  ｒｅｑｕｅｓｔ」を送信した場合
-  「ＵＬ  ＨＡＲＱ再送」のための「ＵＬ  ｇｒａｎｔ」が割り当てられている場合
-  「Ｒａｎｄｏｍ  Ａｃｃｅｓｓ  Ｒｅｓｐｏｎｓｅ」を受信し、その後、新規送信を指示するＰＤＣＣＨ信号を受信していない場合
例えば、図７に示すように、「Ａｃｔｉｖｅ状態」の移動局ＵＥは、「ｄｒｘ-Ｉｎａｃｔｉｖｉｔｙ  Ｔｉｍｅｒ」が満了した場合に、「Ｉｎａｃｔｉｖｅ状態」に遷移するように構成されている。
【０００８】
或いは、図８に示すように、「Ａｃｔｉｖｅ状態」の移動局ＵＥは、「ｄｒｘ-Ｉｎａｃｔｉｖｉｔｙ  Ｔｉｍｅｒ」が起動している場合であっても、無線基地局ｅＮＢから「ＤＲＸ  ｃｏｍｍａｎｄ  ＭＡＣ  ＣＥ（Ｃｏｎｔｒｏｌ  Ｅｌｅｍｅｎｔ）」を受信した場合には、「ｄｒｘ-Ｉｎａｃｔｉｖｉｔｙ  Ｔｉｍｅｒ」を強制的に停止して、「Ｉｎａｃｔｉｖｅ状態」に遷移するように構成されている。
【０００９】
また、ＤＲＸ制御を用いた運用形態の１つとして、「Ｐｅｒｉｏｄｉｃ  ＴＡ（Ｔｉｍｉｎｇ  Ａｄｖａｎｃｅ）」が用いられるケースが知られている。
【００１０】
図９に示すように、かかるケースでは、無線基地局ｅＮＢは、移動局ＵＥについての「ＴＩＴ（Ｔｒａｆｆｉｃ  Ｉｎａｃｔｉｖｉｔｙ  Ｔｉｍｅｒ）」を管理しており、「ＴＩＴ」が起動している間は、ｎｏｎ-ＤＲＸ状態の移動局ＵＥに対して、所定周期で、「Ｐｅｒｉｏｄｉｃ  ＴＡ」を送信するように構成されている。
【００１１】
無線基地局ｅＮＢは、ｎｏｎ-ＤＲＸ状態の移動局ＵＥに対して送受信すべきデータを検出した時点で「ＴＩＴ」を再起動し、「ＴＩＴ」が満了した場合に、「Ｐｅｒｉｏｄｉｃ  ＴＡ」の送信を停止し、「ｄｒｘ-Ｉｎａｃｔｉｖｉｔｙ  Ｔｉｍｅｒ」が満了した場合に、ＤＲＸ状態に遷移するように構成されている。
【００１２】
すなわち、ｎｏｎ-ＤＲＸ状態の移動局ＵＥは、無線基地局ｅＮＢから移動局ＵＥに対して送信すべきデータがなくなった後も、「ＴＩＴ」及び「ｄｒｘ-Ｉｎａｃｔｉｖｉｔｙ  Ｔｉｍｅｒ」の合計に対応する期間が経過するまで、ｎｏｎ-ＤＲＸ状態を維持し、かかる期間におけるデータの到来を待ち受けることができ、データ送受信再開遅延を低減することができる。
【先行技術文献】
【非特許文献】
【００１３】
【非特許文献１】３ＧＰＰ ＴＳ３６.３２１  ｖ１１.１.０
【発明の概要】
【発明が解決しようとする課題】
【００１４】
しかしながら、図１０に示すように、ＤＲＸ状態の移動局ＵＥは、「Ｍｅａｓｕｒｅｍｅｎｔ  Ｒｅｐｏｒｔ（ＭＲ）」の報告や「Ｃａｒｒｉｅｒ  Ａｇｇｒｅｇａｔｉｏｎ（ＣＡ）」におけるＳｃｅｌｌの設定又は解放の際等に行われるＲＲＣ（Ｒａｄｉｏ  Ｒｅｓｏｕｒｃｅ  Ｃｏｎｔｒｏｌ）手順等のＲＲＣ手順の発生時には、移動局ＵＥに関して送受信すべきＵ-ｐｌａｎｅデータがないにも関わらず、ｎｏｎ-ＤＲＸ状態に遷移してしまうため、バッテリセービングの観点で好ましくないという問題点があった。
【００１５】
そこで、本発明は、上述の課題に鑑みてなされたものであり、移動局におけるバッテリセービングの観点で適切なＤＲＸ制御を行うことができる無線基地局及び移動通信方法を提供することを目的とする。
【課題を解決するための手段】
【００１６】
本発明の第１の特徴は、無線基地局であって、移動局についての第１タイマ及び第２タイマを管理するように構成されているタイマ管理部と、前記第１タイマが起動している間、所定周期で、非間欠受信状態の前記移動局に対して、タイミング調整コマンドを送信するように構成されている送信部とを具備しており、前記タイマ管理部は、非間欠受信状態の前記移動局に関して送受信すべきデータを検出した時点で、前記第１タイマを起動又は再起動するように構成されており、前記タイマ管理部は、間欠受信状態の前記移動局に係る制御データが発生した場合に、前記第２タイマを起動又は再起動するように構成されており、前記タイマ管理部は、前記第２タイマが満了した際に、前記第１タイマを停止するように構成されていることを要旨とする。
【００１７】
本発明の第２の特徴は、移動通信方法であって、無線基地局が、移動局についての第１タイマが起動している間、所定周期で、非間欠受信状態の該移動局に対して、タイミング調整コマンドを送信する工程と、前記無線基地局が、非間欠受信状態の前記移動局に関して送受信すべきデータを検出した時点で、前記第１タイマを起動又は再起動する工程と、前記無線基地局が、間欠受信状態の前記移動局に係る制御データが発生した場合に、第２タイマを起動又は再起動する工程と、前記無線基地局が、前記第２タイマが満了した際に、前記第１タイマを停止する工程と、非間欠受信状態の前記移動局が、最後にデータを受信してから所定期間データを受信しない場合に、間欠受信状態に遷移する工程とを有することを特徴とする。
【００１８】
本発明の第３の特徴は、無線基地局であって、移動局についての第１タイマ及び第２タイマを管理するように構成されているタイマ管理部と、前記第１タイマの値が、所定閾値より小さい場合に、所定周期で、タイミング調整コマンドを送信し、該第１タイマの値が、所定閾値を超える場合に、該タイミング調整コマンドの送信を停止するように構成されている送信部とを具備しており、前記第１タイマの値は、時間の経過と共に増加していくように構成されており、前記タイマ管理部は、非間欠受信状態の前記移動局に関して送受信すべきデータを検出した時点で前記第１タイマを停止し、非間欠受信状態の該移動局に関して送受信すべきデータがない場合に「ＴＩＴ」を起動するように構成されており、前記タイマ管理部は、間欠受信状態の前記移動局に係る制御データが発生した場合に、前記第２タイマを起動又は再起動するように構成されており、前記タイマ管理部は、前記第２タイマが満了した際に、前記第１タイマを停止するように構成されていることを要旨とする。
【発明の効果】
【００１９】
以上説明したように、本発明によれば、移動局におけるバッテリセービングの観点で適切なＤＲＸ制御を行うことができる無線基地局及び移動通信方法を提供することができる。
【図面の簡単な説明】
【００２０】
【図１】本発明の第１の実施形態に係る移動通信システムの全体構成図である。
【図２】本発明の第１の実施形態に係る無線基地局ｅＮＢの機能ブロック図である。
【図３】本発明の第１の実施形態に係る移動通信システムの動作を説明するための図である。
【図４】本発明の第１の実施形態に係る無線基地局ｅＮＢの動作を示すフローチャートである。
【図５】本発明の変更例に係る無線基地局について説明するための図である。
【図６】本発明の変更例に係る無線基地局について説明するための図である。
【図７】従来技術を説明するための図である。
【図８】従来技術を説明するための図である。
【図９】従来技術を説明するための図である。
【図１０】従来技術を説明するための図である。
【発明を実施するための形態】
【００２１】
（本発明の第１の実施形態に係る移動通信システム）
図１乃至図４を参照して、本発明の第１の実施形態に係る移動通信システムについて説明する。
【００２２】
本実施形態に係る移動通信システムは、ＬＴＥ方式が適用されている移動通信システムであって、図１に示すように、無線基地局ｅＮＢと、移動局ＵＥとを具備している。
【００２３】
図２に示すように、本実施形態に係る無線基地局ｅＮＢは、タイマ管理部１１と、送信部１２とを具備している。
【００２４】
タイマ管理部１１は、「ＴＩＴ」や「ＴＩＴ  ｓｔｏｐ  Ｔｉｍｅｒ」等を管理するように構成されている。
【００２５】
送信部１２は、移動局ＵＥに対して各種信号を送信するように構成されている。例えば、図３に示すように、送信部１２は、タイマ管理部１１によって管理されている「ＴＩＴ」が起動している間、所定周期で、ｎｏｎ-ＤＲＸ状態の移動局ＵＥに対して、「Ｐｅｒｉｏｄｉｃ  ＴＡ」を送信するように構成されている。
【００２６】
タイマ管理部１１は、ｎｏｎ-ＤＲＸ状態の移動局ＵＥに関して送受信すべきデータを検出した時点で「ＴＩＴ」を起動又は再起動するように構成されている。
【００２７】
また、ＤＲＸ状態の移動局ＵＥに係るＳＲＢ（Ｓｉｇｎａｌｌｉｎｇ  Ｒａｄｉｏ  Ｂｅａｒｅｒ）データ（上りリンクデータ又は下りリンクデータ）が発生した場合に、図３に示すように、タイマ管理部１１は、かかる移動局ＵＥ用として管理している「ＴＩＴ  ｓｔｏｐ  Ｔｉｍｅｒ」を起動又は再起動するように構成されている。
【００２８】
例えば、図３に示すように、タイマ管理部１１は、「ＴＩＴ  ｓｔｏｐ  Ｔｉｍｅｒ」が満了した際に、「ＴＩＴ」を停止するため、送信部１２は、「Ｐｅｒｉｏｄｉｃ  ＴＡ」の送信を停止する。その結果、移動局ＵＥにおいて管理されている「ｄｒｘ-Ｉｎａｃｔｉｖｉｔｙ  Ｔｉｍｅｒ」が満了し、ｎｏｎ-ＤＲＸ状態の移動局ＵＥが、ＤＲＸ状態に遷移する。
【００２９】
ここで、送信部１２は、「ＴＩＴ  ｓｔｏｐ  Ｔｉｍｅｒ」が満了した際に、移動局ＵＥに対して、ＤＲＸ状態に遷移するように指示する「ＤＲＸ  ｃｏｍｍａｎｄ  ＭＡＣ  ＣＥ」を送信するように構成されていてもよい。
【００３０】
例えば、送信部１２は、最後のＳＲＢデータ（例えば、「ＲＲＣ  ｃｏｎｎｅｃｔｉｏｎ  ｒｅｃｏｎｆｉｇｕｒａｔｉｏｎ  ｃｏｍｐｌｅｔｅ」に対するＲＬＣ-ＡＣＫ）に多重して「ＤＲＸ  ｃｏｍｍａｎｄ  ＭＡＣ  ＣＥ」を送信するように構成されていてもよい。
【００３１】
また、タイマ管理部１１は、「ＴＩＴ  ｓｔｏｐ  Ｔｉｍｅｒ」が起動している間に、ｎｏｎ-ＤＲＸ状態の移動局ＵＥに関して送信されるべきＵ-ｐｌａｎｅデータが発生した場合に、「ＴＩＴ  ｓｔｏｐ  Ｔｉｍｅｒ」を停止し、「ＴＩＴ」を再起動するように構成されていてもよい。
【００３２】
以下、図４を参照して、本実施形態に係る移動通信システムの動作、具体的には、本実施形態に係る無線基地局ｅＮＢの動作について説明する。
【００３３】
図４に示すように、無線基地局ｅＮＢは、ステップＳ１０１において、「ＴＩＴ  ｓｔｏｐ  Ｔｉｍｅｒ」が満了したと判断した場合、ステップＳ１０２において、「ＴＩＴ」を停止する。
【００３４】
以上に述べた本実施形態の特徴は、以下のように表現されていてもよい。
【００３５】
本実施形態の第１の特徴は、無線基地局ｅＮＢであって、移動局ＵＥについての「ＴＩＴ（第１タイマ）」及び「ＴＩＴ  ｓｔｏｐ  Ｔｉｍｅｒ（第２タイマ）」を管理するように構成されているタイマ管理部１１と、「ＴＩＴ」が起動している間、所定周期で、ｎｏｎ-ＤＲＸ状態（非間欠受信状態）の移動局ＵＥに対して、「Ｐｅｒｉｏｄｉｃ  ＴＡ（タイミング調整コマンド）」を送信するように構成されている送信部１２とを具備しており、タイマ管理部１１は、ｎｏｎ-ＤＲＸ状態の移動局ＵＥに関して送受信すべきデータを検出した時点で「ＴＩＴ」を起動又は再起動するように構成されており、タイマ管理部１１は、ＤＲＸ状態（間欠受信状態）の移動局ＵＥに係るＳＲＢデータ（制御データ）が発生した場合に、「ＴＩＴ  ｓｔｏｐ  Ｔｉｍｅｒ」を起動又は再起動するように構成されており、タイマ管理部１１は、「ＴＩＴ  ｓｔｏｐ  Ｔｉｍｅｒ」が満了した際に、「ＴＩＴ」を停止するように構成されていることを要旨とする。
【００３６】
かかる構成によれば、ＤＲＸ状態の移動局ＵＥに対するＲＲＣ手順（「Ｍｅａｓｕｒｅｍｅｎｔ  Ｒｅｐｏｒｔ（ＭＲ）」の報告や「Ｃａｒｒｉｅｒ  Ａｇｇｒｅｇａｔｉｏｎ（ＣＡ）」におけるＳｃｅｌｌの設定又は解放の際等に行われるＲＲＣ手順）が行われた後、すなわち、ＤＲＸ状態の移動局ＵＥに係るＳＲＢデータが発生してから所定期間が経過した後に、ｎｏｎ-ＤＲＸ状態に遷移した移動局ＵＥを再びＤＲＸ状態に遷移させることができる。
【００３７】
本実施形態の第１の特徴において、送信部１２は、「ＴＩＴ  ｓｔｏｐ  Ｔｉｍｅｒ」が満了した際に、移動局ＵＥに対して、ＤＲＸ状態に遷移するように指示する「ＤＲＸ  ｃｏｍｍａｎｄ  ＭＡＣ  ＣＥ（指示情報）」を送信するように構成されていてもよい。
【００３８】
かかる構成によれば、移動局ＵＥにおいて管理されている「ｄｒｘ-Ｉｎａｃｔｉｖｉｔｙ  Ｔｉｍｅｒ」の満了を待たずに、ｎｏｎ-ＤＲＸ状態の移動局ＵＥを強制的にＤＲＸ状態に遷移させることができる。
【００３９】
本実施形態の第１の特徴において、送信部１２は、最後のＳＲＢデータに多重して「ＤＲＸ  ｃｏｍｍａｎｄ  ＭＡＣ  ＣＥ」を送信するように構成されていてもよい。
【００４０】
かかる構成によれば、「ＤＲＸ  ｃｏｍｍａｎｄ  ＭＡＣ  ＣＥ」を送信するための新たな信号を送信することなく、ｎｏｎ-ＤＲＸ状態の移動局ＵＥを強制的にＤＲＸ状態に遷移させることができる。
【００４１】
本実施形態の第１の特徴において、タイマ管理部１１は、「ＴＩＴ  ｓｔｏｐ  Ｔｉｍｅｒ」が起動している間に、ｎｏｎ-ＤＲＸ状態の移動局ＵＥに関して送信されるべきＵ-ｐｌａｎｅデータ（ユーザデータ）が発生した場合に、「ＴＩＴ  ｓｔｏｐ  Ｔｉｍｅｒ」を停止し、「ＴＩＴ」を再起動するように構成されていてもよい。
【００４２】
かかる構成によれば、「ＴＩＴ  ｓｔｏｐ  Ｔｉｍｅｒ」が起動している間に、ｎｏｎ-ＤＲＸ状態の移動局ＵＥに関して送信されるべきＵ-ｐｌａｎｅデータが発生した場合には、「Ｐｅｒｉｏｄｉｃ  ＴＡ」の送信を有効とすることで、移動局ＵＥをｎｏｎ-ＤＲＸ状態のままとすることができる。
【００４３】
なお、無線基地局ｅＮＢは、例えば、上位ノード（サービングゲートウェイ装置Ｓ-ＧＷ）からの下りリンクデータの到来を検出した場合や、所定閾値以上の下りリンクデータがバッファに滞留していることを検出した場合等に、下りリンクにおいてＵ-ｐｌａｎｅデータが発生したことを検出するように構成されている。
【００４４】
また、無線基地局ｅＮＢは、移動局ＵＥからのＢＳＲ（Ｂｕｆｆｅｒ  Ｓｔａｔｕｓ  Ｒｅｐｏｒｔｉｎｇ）を受信した場合や、移動局ＵＥに対して個別に割り当てられている「Ｓｃｈｅｄｕｌｉｎｇ  Ｒｅｑｕｅｓｔ」を受信した場合や、Ｕ-ｐｌａｎｅデータを含む（或いは、Ｕ-ｐｌａｎｅデータのみが含まれる）「ＵＬ  ＭＡＣ  ＳＤＵ/ＭＡＣ  ＰＤＵ」を受信した場合等に、上りリンクにおいてＵ-ｐｌａｎｅデータが発生したことを検出するように構成されている。
【００４５】
本実施形態の第２の特徴は、移動通信方法であって、無線基地局ｅＮＢが、移動局ＵＥについての「ＴＩＴ」が起動している間、所定周期で、ｎｏｎ-ＤＲＸの移動局ＵＥに対して、「Ｐｅｒｉｏｄｉｃ  ＴＡ」を送信する工程と、無線基地局ｅＮＢが、ｎｏｎ-ＤＲＸ状態の移動局ＵＥに関して送受信すべきデータを検出した時点で、「ＴＩＴ」を起動又は再起動する工程と、無線基地局ｅＮＢが、ＤＲＸ状態の移動局ＵＥに関して送信されるべきＳＲＢデータが発生した場合に、「ＴＩＴ  ｓｔｏｐ  Ｔｉｍｅｒ」を起動又は再起動する工程と、無線基地局ｅＮＢが、「ＴＩＴ  ｓｔｏｐ  Ｔｉｍｅｒ」が満了した際に、「ＴＩＴ」を停止する工程と、ｎｏｎ-ＤＲＸ状態の移動局ＵＥが、最後にデータを受信してから所定期間データを受信しない場合に、ＤＲＸ状態に遷移する工程とを有することを要旨とする。
【００４６】
かかる構成によれば、ＤＲＸ状態の移動局ＵＥに対するＲＲＣ手順（「Ｍｅａｓｕｒｅｍｅｎｔ  Ｒｅｐｏｒｔ（ＭＲ）」の報告や「Ｃａｒｒｉｅｒ  Ａｇｇｒｅｇａｔｉｏｎ（ＣＡ）」におけるＳｃｅｌｌの設定又は解放の際等に行われるＲＲＣ手順）が行われた後、すなわち、ＤＲＸ状態の移動局ＵＥに係るＳＲＢデータが発生してから所定期間が経過した後に、ｎｏｎ-ＤＲＸ状態に遷移した移動局ＵＥを再びＤＲＸ状態に遷移させることができる。
【００４７】
本実施形態の第２の特徴において、無線基地局ｅＮＢが、「ＴＩＴ  ｓｔｏｐ  Ｔｉｍｅｒ」が満了した際に、移動局ＵＥに対して、ＤＲＸ状態に遷移するように指示する「ＤＲＸ  ｃｏｍｍａｎｄ  ＭＡＣ  ＣＥ」を送信する工程と、ｎｏｎ-ＤＲＸ信状態の移動局ＵＥが、かかる「ＤＲＸ  ｃｏｍｍａｎｄ  ＭＡＣ  ＣＥ」に応じて、ＤＲＸ状態に遷移する工程とを更に有してもよい。
【００４８】
かかる構成によれば、移動局ＵＥにおいて管理されている「ｄｒｘ-Ｉｎａｃｔｉｖｉｔｙ  Ｔｉｍｅｒ」の満了を待たずに、ｎｏｎ-ＤＲＸ状態の移動局ＵＥを強制的にＤＲＸ状態に遷移させることができる。
【００４９】
（変更例）
なお、上述した実施形態では、無線基地局ｅＮＢが、「ＴＩＴ」が起動している場合に「Ｐｅｒｉｏｄｉｃ  ＴＡ」を送信し、「ＴＩＴ」が停止している（満了している）状態では「Ｐｅｒｉｏｄｉｃ  ＴＡ」の送信を停止する制御を行っているケースを例にして説明を行ったが、本発明は、これ以外のケースでも実現することは可能である。
【００５０】
例えば、図５に示すように、無線基地局ｅＮＢは、「ＴＩＴ」の値（瞬時の値）が所定閾値より小さい場合に「Ｐｅｒｉｏｄｉｃ  ＴＡ」を送信し、「ＴＩＴ」の値（瞬時の値）が所定閾値を超える場合には「Ｐｅｒｉｏｄｉｃ  ＴＡ」の送信を停止してもよい。ここで、「ＴＩＴ」の値は、時間の経過と共にカウントアップするように構成されている。
【００５１】
かかる場合、無線基地局ｅＮＢは、送受信すべきデータを検出した時点で「ＴＩＴ」を停止し、送受信すべきデータがない場合に「ＴＩＴ」を起動するように構成されている。
【００５２】
なお、かかる場合、無線基地局ｅＮＢは、図６に示すように、上述した「ＴＩＴ  ｓｔｏｐ  Ｔｉｍｅｒ」の満了に従って「ＴＩＴ」の値を所定閾値よりも大きい値に設定することで「Ｐｅｒｉｏｄｉｃ  ＴＡ」を停止するように構成されていてもよい。
【００５３】
ここで、無線基地局ｅＮＢは、「ＴＩＴ」の値を、所定閾値を初期値として起動してもよい。
【００５４】
すなわち、本発明の変更例１の特徴は、無線基地局ｅＮＢであって、移動局ＵＥについての「ＴＩＴ」及び「ＴＩＴ  ｓｔｏｐ  Ｔｉｍｅｒ」を管理するように構成されているタイマ管理部１１と、「ＴＩＴ」の値が、所定閾値より小さい場合に、「Ｐｅｒｉｏｄｉｃ  ＴＡ」を送信し、「ＴＩＴ」の値が、所定閾値を超える場合に、「Ｐｅｒｉｏｄｉｃ  ＴＡ」の送信を停止するように構成されている送信部１２とを具備しており、「ＴＩＴ」の値は、時間の経過と共に増加していくように構成されており、タイマ管理部１１は、ｎｏｎ-ＤＲＸ状態の移動局ＵＥに関して送受信すべきデータを検出した時点で「ＴＩＴ」を停止し、ｎｏｎ-ＤＲＸ状態の移動局ＵＥに関して送受信すべきデータがない場合に「ＴＩＴ」を起動するように構成されており、タイマ管理部１１は、ＤＲＸ状態の移動局ＵＥに係るＳＲＢデータが発生した場合に、「ＴＩＴ  ｓｔｏｐ  Ｔｉｍｅｒ」を起動又は再起動するように構成されており、タイマ管理部１１は、「ＴＩＴ  ｓｔｏｐ  Ｔｉｍｅｒ」が満了した際に、「ＴＩＴ」を所定閾値よりも大きい値に設定するように構成されていることを要旨とする。
【００５５】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００５６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００５８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５９】
ｅＮＢ…無線基地局
ＵＥ…移動局
１１…タイマ管理部
１２…送信部
【図１】
2014216906.tif 000003
【図２】
2014216906.tif 000004
【図３】
2014216906.tif 000005
【図４】
2014216906.tif 000006
【図５】
2014216906.tif 000007
【図６】
2014216906.tif 000008
【図７】
2014216906.tif 000009
【図８】
2014216906.tif 000010
【図９】
2014216906.tif 000011
【図１０】
2014216906.tif 000012